(57)【要約】【課題】選択期間の減少を抑制する。【解決手段】走査配線を順次に選択していく構成において、立ち上がり遷移期間と立ち下がり遷移期間の少なくとも一部を重複させる。【選択図】図５
2006330701.tif 000002
【特許請求の範囲】
【請求項１】
各々がオン電位を順次出力する複数の出力部を有する走査回路であって、
第１の期間をかけてオン電位をオフ電位に変更する第１の出力部と、
第２の期間をかけてオフ電位をオン電位に変更する第２の出力部と、
を有し、
第１の期間の少なくとも一部と第２の期間の少なくとも一部とが重複する
ことを特徴とする走査回路。
【請求項２】
複数の走査配線を走査する走査回路であって、
第１の走査配線に接続される第１の出力部と、
前記第１の走査配線とは異なる走査配線に接続される第２の出力部とを有し、
前記第１の出力部は、
前記第１の出力部が前記第１の走査配線を選択状態にする信号レベルの出力を行っている状態において、出力する信号レベルを非選択状態の信号レベルに近づける変更を開始するために第１の駆動能力による出力を開始し、第１の期間の後に、前記第１の駆動能力よりも大きい第２の駆動能力による出力を開始するものであり、
前記第２の出力部は、
前記第２の出力部が前記第１の走査配線の選択後に選択されるべき走査配線を非選択状態にする信号レベルの出力を行っている状態において、出力する信号レベルを選択状態の信号レベルに近づける変更を開始するために第３の駆動能力による出力を開始し、第２の期間の後に、前記第３の駆動能力よりも大きい第４の駆動能力による出力を開始し、
前記第１の期間の少なくとも一部と前記第２の期間の少なくとも一部とが重複する
ことを特徴とする走査回路。
【請求項３】
前記第２の駆動能力によって、前記第１の走査配線を非選択状態の信号レベルに維持し、前記第４の駆動能力によって、前記第１の走査配線の選択後に選択されるべき前記走査配線を選択状態の信号レベルに維持する
ことを特徴とする請求項２記載の走査回路。
【請求項４】
複数の走査配線を走査する走査回路であって、
第１の走査配線に接続される第１の出力部と、
前記第１の走査配線とは異なる走査配線に接続される第２の出力部とを有し、
前記第１の出力部は、
前記第１の出力部が前記第１の走査配線を選択状態にする信号レベルの出力を行っている状態において、出力する信号レベルを非選択状態の信号レベルに近づける変更を開始するためにオフ状態からオン状態に切り換えられる第１の駆動用トランジスタと、
前記第１の駆動用トランジスタがオフ状態からオン状態に切り換えられるときにオフ状態に維持され、前記第１の駆動用トランジスタがオフ状態からオン状態に切り換えられたときから第１の期間後に、オフ状態からオン状態に切り換えられる第２の駆動用トランジスタとを有し、
前記第２の出力部は、
前記第２の出力部が前記第１の走査配線の選択後に選択されるべき走査配線を非選択状態にする信号レベルの出力を行っている状態において、出力する信号レベルを選択状態の信号レベルに近づける変更を開始するためにオフ状態からオン状態に切り換えられる第３の駆動用トランジスタと、
前記第３の駆動用トランジスタがオフ状態からオン状態に切り換えられるときにはオフ状態に維持され、前記第３の駆動用トランジスタがオフ状態からオン状態に切り換えられたときから第２の期間の後にオフ状態からオン状態に切り換えられる第４の駆動用トランジスタとを有し、
前記第２の駆動用トランジスタは、前記第１の駆動用トランジスタよりも大きい駆動能力を有し、
前記第１の期間の少なくとも一部と、前記第２の期間の少なくとも一部とが重複する
ことを特徴とする走査回路。
【請求項５】
複数の走査配線を走査する走査回路であって、
第１の走査配線に接続される第１の出力部と、
前記第１の走査配線とは異なる走査配線に接続される第２の出力部とを有し、
前記第１の出力部は、
前記第１の出力部が前記第１の走査配線を選択状態にする信号レベルの出力を行っている状態において、出力する信号レベルを非選択状態の信号レベルに近づける変更を開始するためにオフ状態からオン状態に切り換えられる第１の駆動用トランジスタと、
前記第１の駆動用トランジスタがオフ状態からオン状態に切り換えられるときにオフ状態に維持され、前記第１の駆動用トランジスタがオフ状態からオン状態に切り換えられたときから第１の期間の後に、オフ状態からオン状態に切り換えられる第２の駆動用トランジスタとを有し、
前記第２の出力部は、
前記第２の出力部が前記第１の走査配線の選択後に選択されるべき前記走査配線を非選択状態にする信号レベルの出力を行っている状態において、出力する信号レベルを選択状態の信号レベルに近づける変更を開始するためにオフ状態からオン状態に切り換えられる第３の駆動用トランジスタと、
前記第３の駆動用トランジスタがオフ状態からオン状態に切り換えられるときにはオフ状態が維持され、前記第３の駆動用トランジスタがオフ状態からオン状態に切り換えられたときから第２の期間の後にオフ状態からオン状態に切り換えられる第４の駆動用トランジスタとを有し、
前記第４の駆動用トランジスタは、前記第３の駆動用トランジスタよりも大きい駆動能力を有し、
前記第１の期間の少なくとも一部と、前記第２の期間の少なくとも一部とが重複する
ことを特徴とする走査回路。
【請求項６】
複数の走査配線を走査する走査回路であって、
第１の走査配線に接続される第１の出力部と、
前記第１の走査配線とは異なる走査配線に接続される第２の出力部とを有し、
前記第１の出力部は、
前記第１の出力部が前記第１の走査配線を選択状態にする信号レベルの出力を行っている状態において、出力する信号レベルを非選択状態の信号レベルに近づける変更を開始するためにオフ状態からオン状態に切り換えられる第１の駆動用トランジスタと、
前記第１の駆動用トランジスタがオフ状態からオン状態に切り換えられるときにオフ状態に維持され、前記第１の駆動用トランジスタがオフ状態からオン状態に切り換えられたときから第１の期間の後に、オフ状態からオン状態に切り換えられる第２の駆動用トランジスタとを有し、
前記第２の出力部は、
前記第２の出力部が前記第１の走査配線の選択後に選択されるべき走査配線を非選択状態にする信号レベルの出力を行っている状態において、出力する信号レベルを選択状態の信号レベルに近づける変更を開始するためにオフ状態からオン状態に切り換えられる第３の駆動用トランジスタと、
前記第３の駆動用トランジスタがオフ状態からオン状態に切り換えられるときにはオフ状態が維持され、前記第３の駆動用トランジスタがオフ状態からオン状態に切り換えられたときから第２の期間の後にオフ状態からオン状態に切り換えられる第４の駆動用トランジスタとを有し、
前記第２の駆動用トランジスタは、前記第１の駆動用トランジスタのオン状態を維持した状態でオフ状態からオン状態へ切り換えられ、
前記第１の期間の少なくとも一部と前記第２の期間の少なくとも一部とが重複する
ことを特徴とする走査回路。
【請求項７】
複数の走査配線を走査する走査回路であって、
第１の走査配線に接続される第１の出力部と、
前記第１の走査配線とは異なる走査配線に接続される第２の出力部とを有し、
前記第１の出力部は、
前記第１の出力部が前記第１の走査配線を選択状態にする信号レベルの出力を行っている状態において、出力する信号レベルを非選択状態の信号レベルに近づける変更を開始するためにオフ状態からオン状態に切り換えられる第１の駆動用トランジスタと、
前記第１の駆動用トランジスタがオフ状態からオン状態に切り換えられるときにはオフ状態に維持され、前記第１の駆動用トランジスタがオフ状態からオン状態に切り換えられたときから第１の期間後にオフ状態からオン状態に切り換えられる第２の駆動用トランジスタとを有し、
前記第２の出力部は、
前記第２の出力部が前記第１の走査配線の選択後に選択されるべき前記走査配線を非選択状態にする信号レベルの出力を行っている状態において、出力する信号レベルを選択状態の信号レベルに近づける変更を開始するためにオフ状態からオン状態に切り換えられる第３の駆動用トランジスタと、
前記第３の駆動用トランジスタがオフ状態からオン状態に切り換えられるときにはオフ状態が維持され、前記第３の駆動用トランジスタがオフ状態からオン状態に切り換えられたときから第２の期間後にオフ状態からオン状態に切り換えられる第４の駆動用トランジスタとを有し、
前記第４の駆動用トランジスタは、前記第３の駆動用トランジスタのオン状態を維持した状態でオフ状態からオン状態へ切り換えられ、
前記第１の期間の一部と前記第２の期間の一部とが少なくとも重複する
ことを特徴とする走査回路。
【請求項８】
複数の走査配線を走査する走査装置であって、
請求項１乃至７のいずれか１項に記載の走査回路と、
前記走査回路に対して前記第１の期間の開始と終了とを規定する第１の制御信号と、前記第２の期間の開始および終了を規定する第２の制御信号とを供給する制御回路と、
前記制御回路から前記走査回路に前記第１の制御信号を伝送する第１の伝送路と、
前記制御回路から前記走査回路に前記第２の制御信号を伝送する第２の伝送路とを有する
ことを特徴とする走査装置。
【請求項９】
前記第１の制御信号と前記第２の制御信号の一方が、選択する走査配線を切り替えるタイミングを規定するクロック信号を兼ねる
ことを特徴とする請求項８記載の走査装置。
【請求項１０】
複数の走査配線を走査する走査装置であって、
請求項１乃至７のいずれか１項に記載の走査回路と、
前記走査回路に対して、前記第１の期間の開始と終了とを規定し、かつ、前記第２の期間の開始と終了とを規定する制御信号を供給する制御回路と、
前記制御回路から前記走査回路に前記制御信号を伝送する伝送路とを有する
ことを特徴とする走査装置。
【請求項１１】
前記制御信号が、選択する走査配線を切り替えるタイミングを規定するクロック信号を兼ねる
ことを特徴とする請求項１０記載の走査装置。
【請求項１２】
請求項２乃至７のいずれか１項に記載の走査回路と、
前記複数の走査配線と、
変調信号が供給される複数の変調配線と、
前記複数の走査配線および前記複数の変調配線によってマトリックス接続される複数の表示素子と、
前記変調配線に前記変調信号を供給する変調回路とを有する
ことを特徴とする画像表示装置。
【請求項１３】
請求項１２記載の画像表示装置と、
テレビジョン放送信号を選択可能なチューナとを有し、
前記チューナから出力される信号に基づいて画像表示が実行される
ことを特徴とするテレビジョン装置。
【発明の詳細な説明】
【技術分野】
【０００１】
この発明は、走査回路、走査装置、画像表示装置およびテレビジョン装置に関する。
【背景技術】
【０００２】
特開平１１−２４６２２号公報（特許文献１）には、２倍速のシフトクロックによって２ライン同時駆動を行い、高速で行選択ラインをシフトさせる方法が記載されている。また、特開２００４−４４２９号公報（特許文献２）には、インピーダンスの異なる駆動手段を用いて、駆動波形を安定させる方法が記載されている。
【０００３】
特開平１１−２４６２２号公報（特許文献１）に記載された技術は、垂直ドライバの誤動作を防止するために、画面上方の特定色描画部および画面下部の特定色描画部においては、クロック信号と出力イネーブル信号とによって表示ラインの２ラインを同時に選択し、中央の映像表示部において画像信号を間引いて圧縮描画する技術である。
【０００４】
また、特開２００４−４４２９号公報（特許文献２）に記載された技術は、インピーダンスの異なる複数の駆動ドライバにより駆動波形の立ち上がり立ち下がり時の波形暴れを抑制する技術である。
【特許文献１】特開平１１−２４６２２号公報
【特許文献２】特開２００４−４４２９号公報
【発明の開示】
【発明が解決しようとする課題】
【０００５】
本発明の目的は、遷移期間が存在することによる表示期間の減少を抑制することができる走査回路、走査装置、画像表示装置およびテレビジョン装置を提供することにある。
【課題を解決するための手段】
【０００６】
上記目的を達成するために、第１の発明は、
各々がオン電位を順次出力する複数の出力部を有する走査回路であって、
第１の期間をかけてオン電位をオフ電位に変更する第１の出力部と、
第２の期間をかけてオフ電位をオン電位に変更する第２の出力部と、
を有し、
第１の期間の少なくとも一部と第２の期間の少なくとも一部とが重複する
ことを特徴とする走査回路である。
【０００７】
ここで第１の期間は１００nsec以上であると好適である。また、第２の期間は１００nsec以上であると好適である。第１の期間はオン電位を出力している状態から電位の変更を開始し、オフ電位を安定して出力している状態になるまでの時間として測定可能である。第２の期間はオフ電位を出力している状態から電位の変更を開始し、オン電位を安定して出力している状態になるまでの時間として測定可能である。また、オーバーラップする割合は、第１の期間もしくは第２の期間の５０パーセント以上であると好適である。
【０００８】
第２の発明は、
複数の走査配線を走査する走査回路であって、
第１の走査配線に接続される第１の出力部と、
第１の走査配線とは異なる走査配線に接続される第２の出力部とを有し、
第１の出力部は、
第１の出力部が第１の走査配線を選択状態にする信号レベルの出力を行っている状態に
おいて、出力する信号レベルを非選択状態の信号レベルに近づける変更を開始するために第１の駆動能力による出力を開始し、第１の期間の後に、第１の駆動能力よりも大きい第２の駆動能力による出力を開始するものであり、
第２の出力部は、
第２の出力部が第１の走査配線の選択後に選択されるべき走査配線を非選択状態にする信号レベルの出力を行っている状態において、出力する信号レベルを選択状態の信号レベルに近づける変更を開始するために第３の駆動能力による出力を開始し、第２の期間の後に、第３の駆動能力よりも大きい第４の駆動能力による出力を開始し、
第１の期間の少なくとも一部と第２の期間の少なくとも一部とが重複する
ことを特徴とする走査回路である。
【０００９】
なお、駆動能力は、流すことができる電流量として表すことができる。また抵抗の値で表すこともできる。
【００１０】
また、第１の出力部が第１の走査配線を選択状態にする信号レベルと、第２の出力部が第２の出力部に接続される走査配線を選択状態にする信号レベルとは同一であることが特に好適である。
【００１１】
また、第１の出力部が第１の走査配線を非選択状態にする信号レベルと、第２の出力部が第２の出力部に接続される走査配線を非選択状態にする信号レベルとは同一であることが特に好適である。
【００１２】
第３の発明は、好適には、第２の発明において、第２の駆動能力によって、第１の走査配線を非選択状態の信号レベルに維持し、第４の駆動能力によって、第１の走査配線の後に選択されるべき走査配線を選択状態の信号レベルに維持することを特徴とする。
【００１３】
第４の発明は、
複数の走査配線を走査する走査回路であって、
第１の走査配線に接続される第１の出力部と、
第１の走査配線とは異なる走査配線に接続される第２の出力部とを有し、
第１の出力部は、
第１の出力部が第１の走査配線を選択状態にする信号レベルの出力を行っている状態において、出力する信号レベルを非選択状態の信号レベルに近づける変更を開始するためにオフ状態からオン状態に切り換えられる第１の駆動用トランジスタと、
第１の駆動用トランジスタがオフ状態からオン状態に切り換えられるときにオフ状態に維持され、第１の駆動用トランジスタがオフ状態からオン状態に切り換えられたときから第１の期間後に、オフ状態からオン状態に切り換えられる第２の駆動用トランジスタとを有し、
第２の出力部は、
第２の出力部が第１の走査配線の選択後に選択されるべき走査配線を非選択状態にする信号レベルの出力を行っている状態において、出力する信号レベルを選択状態の信号レベルに近づける変更を開始するためにオフ状態からオン状態に切り換えられる第３の駆動用トランジスタと、
第３の駆動用トランジスタがオフ状態からオン状態に切り換えられるときにはオフ状態に維持され、第３の駆動用トランジスタがオフ状態からオン状態に切り換えられたときから第２の期間の後にオフ状態からオン状態に切り換えられる第４の駆動用トランジスタとを有し、
第２の駆動用トランジスタは、第１の駆動用トランジスタよりも大きい駆動能力を有し、
第１の期間の少なくとも一部と、第２の期間の少なくとも一部とが重複する
ことを特徴とする走査回路である。
【００１４】
第５の発明は、
複数の走査配線を走査する走査回路であって、
第１の走査配線に接続される第１の出力部と、
第１の走査配線とは異なる走査配線に接続される第２の出力部とを有し、
第１の出力部は、
第１の出力部が第１の走査配線を選択状態にする信号レベルの出力を行っている状態において、出力する信号レベルを非選択状態の信号レベルに近づける変更を開始するためにオフ状態からオン状態に切り換えられる第１の駆動用トランジスタと、
第１の駆動用トランジスタがオフ状態からオン状態に切り換えられるときにオフ状態に維持され、第１の駆動用トランジスタがオフ状態からオン状態に切り換えられたときから第１の期間の後に、オフ状態からオン状態に切り換えられる第２の駆動用トランジスタとを有し、
第２の出力部は、
第２の出力部が第１の走査配線の選択後に選択されるべき走査配線を非選択状態にする信号レベルの出力を行っている状態において、出力する信号レベルを選択状態の信号レベルに近づける変更を開始するためにオフ状態からオン状態に切り換えられる第３の駆動用トランジスタと、
第３の駆動用トランジスタがオフ状態からオン状態に切り換えられるときにはオフ状態が維持され、第３の駆動用トランジスタがオフ状態からオン状態に切り換えられたときから第２の期間の後にオフ状態からオン状態に切り換えられる第４の駆動用トランジスタとを有し、
第４の駆動用トランジスタは、第３の駆動用トランジスタよりも大きい駆動能力を有し、
第１の期間の少なくとも一部と、第２の期間の少なくとも一部とが重複する
ことを特徴とする走査回路である。
【００１５】
第６の発明は、
複数の走査配線を走査する走査回路であって、
第１の走査配線に接続される第１の出力部と、
第１の走査配線とは異なる走査配線に接続される第２の出力部とを有し、
第１の出力部は、
第１の出力部が第１の走査配線を選択状態にする信号レベルの出力を行っている状態において、出力する信号レベルを非選択状態の信号レベルに近づける変更を開始するためにオフ状態からオン状態に切り換えられる第１の駆動用トランジスタと、
第１の駆動用トランジスタがオフ状態からオン状態に切り換えられるときにオフ状態に維持され、第１の駆動用トランジスタがオフ状態からオン状態に切り換えられたときから第１の期間の後に、オフ状態からオン状態に切り換えられる第２の駆動用トランジスタとを有し、
第２の出力部は、
第２の出力部が第１の走査配線の選択後に選択されるべき走査配線を非選択状態にする信号レベルの出力を行っている状態において、出力する信号レベルを選択状態の信号レベルに近づける変更を開始するためにオフ状態からオン状態に切り換えられる第３の駆動用トランジスタと、
第３の駆動用トランジスタがオフ状態からオン状態に切り換えられるときにはオフ状態が維持され、第３の駆動用トランジスタがオフ状態からオン状態に切り換えられたときから第２の期間の後にオフ状態からオン状態に切り換えられる第４の駆動用トランジスタとを有し、
第２の駆動用トランジスタは、第１の駆動用トランジスタのオン状態を維持した状態で
オフ状態からオン状態へ切り換えられ、
第１の期間の少なくとも一部と第２の期間の少なくとも一部とが重複する
ことを特徴とする走査回路である。
【００１６】
第７の発明は、
複数の走査配線を走査する走査回路であって、
第１の走査配線に接続される第１の出力部と、
第１の走査配線とは異なる走査配線に接続される第２の出力部とを有し、
第１の出力部は、
第１の出力部が第１の走査配線を選択状態にする信号レベルの出力を行っている状態において、出力する信号レベルを非選択状態の信号レベルに近づける変更を開始するためにオフ状態からオン状態に切り換えられる第１の駆動用トランジスタと、
第１の駆動用トランジスタがオフ状態からオン状態に切り換えられるときにはオフ状態に維持され、第１の駆動用トランジスタがオフ状態からオン状態に切り換えられたときから第１の期間後にオフ状態からオン状態に切り換えられる第２の駆動用トランジスタとを有し、
第２の出力部は、
第２の出力部が第１の走査配線の選択後に選択されるべき走査配線を非選択状態にする信号レベルの出力を行っている状態において、出力する信号レベルを選択状態の信号レベルに近づける変更を開始するためにオフ状態からオン状態に切り換えられる第３の駆動用トランジスタと、
第３の駆動用トランジスタがオフ状態からオン状態に切り換えられるときにはオフ状態が維持され、第３の駆動用トランジスタがオフ状態からオン状態に切り換えられたときから第２の期間後にオフ状態からオン状態に切り換えられる第４の駆動用トランジスタとを有し、
第４の駆動用トランジスタは、第３の駆動用トランジスタのオン状態を維持した状態でオフ状態からオン状態へ切り換えられ、
第１の期間の一部と第２の期間の一部とが少なくとも重複する
ことを特徴とする走査回路である。
【００１７】
第８の発明は、
複数の走査配線を走査する走査装置であって、
請求項１乃至７のいずれか１項記載の走査回路と、
走査回路に対して第１の所定期間の開始と終了とを規定する第１の制御信号と、第２の期間の開始および終了を規定する第２の制御信号とを供給する制御回路と、
制御回路から走査回路に第１の制御信号を伝送する第１の伝送路と、
制御回路から走査回路に第２の制御信号を伝送する第２の伝送路とを有する
ことを特徴とする走査装置である。
【００１８】
第９の発明は、第８の発明において、第１の制御信号および第２の制御信号の一方が、選択する走査配線を切り替えるタイミングを規定するクロック信号を兼ねるものである。
【００１９】
第１０の発明は、
複数の走査配線を走査する走査装置であって、
第１の発明乃至第７の発明のいずれか１つの発明による走査回路と、
走査回路に対して、第１の期間の開始と終了とを規定し、かつ、第２の期間の開始と終了とを規定する制御信号を供給する制御回路と、
制御回路から走査回路に制御信号を伝送する伝送路とを有する
ことを特徴とする走査装置である。
【００２０】
第１１の発明は、この第１０の発明において、制御信号が、選択する走査配線を切り替えるタイミングを規定するクロック信号を兼ねることを特徴とする。
【００２１】
なお、以上説明したそれぞれの発明において、好適には、以上の要件を満たす出力部を全ての走査配線に対応して設ける構成も採用することができる。
【００２２】
第１２の発明は、
第８の発明乃至第１１の発明のうちのいずれか１つの発明による走査装置と、
複数の走査配線と、
変調信号が供給される複数の変調配線と、
複数の走査配線と複数の変調配線とによってマトリックス接続される複数の表示素子と、
変調配線に変調信号を供給する変調回路とを有する
ことを特徴とする画像表示装置である。
【００２３】
第１３の発明は、
第１２の発明による画像表示装置と、
テレビジョン放送信号を選択するチューナとを有し、
チューナが出力する信号に基づいて画像表示が実行される
ことを特徴とするテレビジョン装置である。
【発明の効果】
【００２４】
この発明によれば、遷移期間が存在することによる表示期間の減少を抑制することができる。
【発明を実施するための最良の形態】
【００２５】
以下、本発明の実施形態について図面を参照しながら説明する。なお、以下の実施形態の全図においては、同一または対応する部分には同一の符号を付す。
【００２６】
まず、本発明の第１の実施形態による画像表示装置について説明する。図１に、この第１の実施形態による表面伝導放出素子を用いた画像表示装置の全体構成を示す。
【００２７】
図１に示すように、この第１の実施形態による画像表示装置は、マトリクスパネル１、走査配線２、変調配線３、制御回路としての制御部４、走査駆動ＩＣなどの走査駆動回路からなる走査回路としての走査駆動部５、および変調駆動ＩＣなどの変調駆動回路からなる変調回路としての変調駆動部６を有して構成されている。
【００２８】
マトリクスパネル１は、リアパネル１ａ上に、複数の走査配線２と複数の変調配線３とによって、複数の表示素子を構成する表面伝導放出素子３ａがマトリクス状に結線されて構成されている。このリアパネル１ａの配線が設けられた面に対向して、蛍光体３ｃが設けられたフェースプレート３ｂが設けられている。フェースプレート３ｂには、例えば１０ｋＶ程度の高電圧が印加される。表面伝導放出素子３ａから放出された電子は、蛍光体３ｃに照射され、画像表示装置として映像や画像を表示する。なお、この第１の実施形態においては、電子放出素子としての表面伝導型放出素子と、放出された電子が照射される蛍光体の所定の領域とを組み合わせたものを表示素子として用いているが、ＥＬ素子などの、他の種々の表示素子を用いることも可能である。
【００２９】
リアパネル１ａは、走査配線２と変調配線３との交点に表面伝導放出素子３ａを配して構成されている。そして、このマトリクスパネル１においては、制御部４を用いて走査駆動部５および変調駆動部６が制御され、走査配線２と変調配線３との間に例えば数十ボル
トの電圧が印加されることによって、所望とする表面伝導放出素子３ａから電子が放出される。表面伝導放出素子３ａから放出された電子は、１ｋＶから３０ｋＶまでの間の適切の電位が印加されたフェースプレート３ｂに到達し、蛍光体３ｃに衝突して、発光が得られる。このときの明るさは、所定期間中に蛍光体３ｃに衝突する電子の量の増加により増加する。従って、電子の電流密度、または電流印加期間のいずれかを制御することによって、明るさを制御することが可能となり、これにより階調表示が可能となる。
【００３０】
この第１の実施形態においては、走査配線２および変調配線３に印加する電圧を制御部４によって制御することにより、さまざまな映像の表示を可能とする。また、上述したように、蛍光体３ｃの発光により得られる明るさは、電子を衝突させる時間の増加とともに上昇する。従って、明るさを増やすためには、表面伝導放出素子３ａの電子の放出期間、すなわち、表面伝導放出素子３ａに対する電圧の印加時間を確保することが重要となる。
【００３１】
（駆動部）
走査駆動部５は、複数の走査配線２から選択された１つの走査配線、または選択された複数の特定の走査配線２に選択電位を印加し、選択された走査配線２を順次切り替えるための駆動回路である。ここで、この走査駆動部５は、集積回路によって構成されている。１つの集積回路によって全ての走査配線をそれぞれ順に選択可能に構成すると、集積回路からそれぞれの走査配線までの経路長が大きく異なってしまう。
【００３２】
そこで、このような問題を解決するために、この第１の実施形態においては、走査駆動部５を４個の集積回路を用いて構成する。このように構成された走査駆動部５により、走査配線２に所定の電圧が印加され、マトリクスパネル１に画像が表示される。
【００３３】
また、変調駆動部６は、入力画像信号に応じて単一または複数の定電圧電源からの出力を制御し、変調した変調信号を複数の変調配線３のそれぞれに印加する駆動回路である。変調駆動部６は複数の集積回路（ここでは４個の集積回路）によって構成されている。制御部４は、走査駆動部５および変調駆動部６に画像データを供給して、マトリクスパネル１に画像を表示するための制御回路である。
【００３４】
（走査駆動部）
次に、走査駆動部５による基本的な走査配線の駆動動作について説明する。図２に、この第１の実施形態による走査駆動部５の部分を示し、図３に、走査駆動部５の駆動波形の一例を示す。
【００３５】
図２に示すように、この第１の実施形態による走査駆動部５は、走査配線２の駆動ラインを決めるシフトレジスタ９と、このシフトレジスタ９の出力を走査配線２の駆動に必要な電圧レベルに変換する出力バッファ８とを有する。
【００３６】
それぞれのシフトレジスタ９には、第１の伝送路を通じて、並列にシフトクロック信号１０が供給される。また、第２の伝送路を通じて、シフトデータ入力７から入力されるシフトデータは、シフトクロック信号１０に同期してシフトされる。出力バッファ８は、それぞれ走査配線２に接続されている。
【００３７】
上からｎ番目の走査配線に接続される出力バッファ８にシフトデータ（ｎラインシフトデータ）が入力された場合、出力バッファ８は、接続された走査配線２に対して選択信号を出力する。その選択信号の波形は、図３に示すｎライン駆動波形（Ａ）である。（ｎ＋１）番目の走査配線に接続される出力バッファ８にシフトデータ（ｎ＋１ラインシフトデータ）が入力された場合、その出力バッファは接続された走査配線２に対して選択信号を出力する。この場合の選択信号の波形が図３に示す（ｎ＋１）ライン駆動波形（Ａ）であ
る。（ｎ＋２）番目の走査配線に接続される出力バッファ８にシフトデータ（ｎ＋２ラインシフトデータ）が入力された場合、その出力バッファ８は、接続された走査配線２に対して選択信号を出力する。その選択信号の波形が図３に示す（ｎ＋２）ライン駆動波形（Ａ）である。それ以降のシフトレジスタ９に対しても同様に出力が行われ、これにより走査配線２が順次に駆動される。
【００３８】
ところで、以上のような駆動を行った場合、走査配線はインダクタンス成分を含むため、その駆動波形にはアンダーシュートおよびオーバーシュートが含まれる。そして、それぞれの駆動波形は、互いに隣接する走査配線２に接続される。そのため、これらの隣接する走査配線２間における相互誘導および静電容量によって、お互いに影響し合う現象が生じる。
【００３９】
これに対応する一つの形態として、図４に示すように、走査駆動部５に対して、出力イネーブル７を入力する。そして、シフトデータと出力イネーブルとの論理積（ＡＮＤ制御）が行われ、出力イネーブルがＨｉの期間のみ選択される。これにより、オーバーシュートとアンダーシュートとが接近しない駆動方法を採用することができる。ところが、このような駆動方法によると、それぞれの走査配線２の選択期間が減少してしまうため、明るさが低下してしまう。
【００４０】
この第１の実施形態においては、この問題を解決するために次のような構成を採用する。すなわち、具体的には、駆動波形のスルーレートを制御することによって、駆動波形のオーバーシュートおよびアンダーシュートを抑制する。特にここでは、電位の遷移（オン電位からオフ電位、またはオフ電位からオン電位への遷移）に１００ナノ秒以上かけるのが好適である。この遷移期間（第１の期間、もしくは第２の期間に相当）は後述のタイミング信号によって所望の値に設定可能である。このように駆動波形のスルーレートを制御すると、遷移に要する時間が増加する。そこで、図５に示すように、ｎライン駆動波形（Ｄ）２６における選択から非選択への遷移と、（ｎ＋１）ライン駆動波形（Ｄ）２７における非選択から選択への遷移を重複させる。これにより、有効時間（変調信号の印加に用いることができる時間）の短縮を抑制する。特に選択から非選択への遷移、及び非選択から選択への遷移を同タイミングで完全に重複させる構成が好適である。なお、有効時間の短縮を抑制するためには、第１の期間及び第２の期間がいずれも２マイクロ秒を超えないようにするのが好適である。
【００４１】
オーバーシュートやアンダーシュートがある場合、図４のような波形の安定待ちの時間が必要となるが、この第１の実施形態においては、駆動波形のスルーレートを制御することができ、これによって、波形の安定待ちの時間が不要となる。
【００４２】
さらに、ｎライン駆動波形（Ｄ）における選択から非選択への遷移と、（ｎ＋１）ライン駆動波形（Ｄ）における非選択から選択への遷移とを重複させる。これによって、選択期間の短縮を抑制することができる。なお、詳細は後述するが、図５に示すように、駆動波形を制御するために制御部４から出力される信号は、立ち上がり制御信号２４および立ち下がり制御信号２５からなる。ここでは、駆動波形の制御信号の本数を削減するために、図５に示すシフトクロック信号を、立ち上がり制御信号２４と兼用する。
【００４３】
そして、この第１の実施形態においては、シフトクロック信号１０を、第１の伝送路を通じて伝送し、立ち下がり制御信号２５を第２の伝送路を通じて伝送する。このように第１の伝送路と第２の伝送路とを用いることにより、走査配線２の選択期間の減少を抑制して、明るさの低下を抑制する。この点について、以下に具体的に説明する。
【００４４】
（変調信号）
まず、変調信号について説明する。通常、表面伝導放出素子３ａを用いた画像表示装置においては、パルス幅変調（ＰＷＭ）におけるパルス幅が大きいほど、輝度の積分値が大きくなる。従って表示される明るさはパルス幅変調（ＰＷＭ）におけるパルス幅が大きいほど明るくなる。図４に示した駆動方法においては、立ち下がり時のアンダーシュートおよび立ち上がり時のオーバーシュートの影響によって隣接する走査配線２に信号が飛び込むなどの悪影響を回避するため、アンダーシュートまたはオーバーシュートが収まる時間（平定待機時間）待機し、これらのアンダーシュートやオーバーシュートなどの、いわゆるリンキングの発生が収まってから、次の駆動を行っていた。そのため、図４の駆動方法によるＰＷＭの最大パルス幅は、
ＰＷＭの最大パルス幅＝
１走査時間−（立ち下がり時間＋立ち下がりアンダーシュート平定待機時間＋立ち上がり時間＋立ち上がりオーバーシュート平定待機時間）
となっていた。
【００４５】
そこで、この第１の実施形態においては、スルーレート制御を行う場合に、２つの制御信号を用いて、駆動信号の立ち上がりと立ち下がりとを重ね合わせるようにする。これにより、ＰＷＭの最大パルス幅は、
ＰＷＭの最大パルス幅＝１走査時間−（立ち下がり時間または立ち上がり時間）
とすることができる。すなわち、
ＰＷＭの最大パルス幅を、（立ち下がりアンダーシュート平定待機時間＋立ち上がり時間（または立ち下がり時間）＋立ち上がりオーバーシュート平定待機時間）だけ、広くすることが可能となる。
【００４６】
このようにして、変調信号においては、それぞれのラインにおける立ち下がり遷移期間が終わるタイミングから、それぞれのラインの立ち上がり遷移期間が始まるタイミングまでを最大ＰＷＭパルス幅とするＰＷＭ信号となる。
【００４７】
（立ち上がり制御および立ち下がり制御）
次に、この第１の実施形態による立ち上がり制御および立ち下がり制御について説明する。図５に、立ち上がり制御および立ち下がり制御のタイミングチャートを示し、図６に、この第１の実施形態による出力バッファ８の回路図を示す。
【００４８】
図６に示すように、この第１の実施形態による出力バッファ８は、ｐチャネルＭＯＳトランジスタからなる立ち下がりＷＥＡＫ駆動用（弱い電流での駆動用）ＭＯＳトランジスタ２９および立ち下がりＳＴＯＲＯＮＧ駆動用（強い電流での駆動用）ＭＯＳトランジスタ３０と、ｎチャネルＭＯＳトランジスタからなる立ち上がりＳＴＲＯＮＧ駆動用ＭＯＳトランジスタ３１および立ち上がりＷＥＡＫ駆動用ＭＯＳトランジスタ３２とから構成されている。
【００４９】
この出力バッファ８の回路動作について、以下に具体的に説明する。なお、この第１の実施形態においては、走査配線の電位は低レベルで選択状態となるので、選択信号の立ち上がりにおいて電位が低下し、立ち下がりにおいて電位が上昇する。
【００５０】
図６において、選択電位は、電源線３８に供給される電位であり、他方、非選択電位は、電源線３７に供給される電位である。実際には、駆動用トランジスタのオン抵抗や導電経路における抵抗があることから、選択状態に維持される走査配線に供給される電位（本発明の「オン電位」に相当）は電源線３８に供給される電位とは異なる。
【００５１】
また、非選択状態に維持される走査配線に供給される電位（本発明の「オフ電位」に相当）は、電源線３７に供給される電位とは異なる。この点、以下の実施形態においては、
冗長な説明を避けるため、「選択電位３８」を電源線３８に供給する電位、「非選択電位３７」を電源線３７に供給される電位として扱う。
【００５２】
まず、図５の立ち上がり制御信号２４の立ち上がりで、立ち上がりＷＥＡＫ駆動用ＭＯＳトランジスタ３２の駆動信号３６がＨｉとなり、立ち上がりＷＥＡＫ駆動用ＭＯＳトランジスタ３２がオンされる。立ち上がりＷＥＡＫ駆動用ＭＯＳトランジスタ３２は、例えば１ｋΩ位の大きなオン抵抗を有する。この立ち上がりＷＥＡＫ駆動用ＭＯＳトランジスタ３２においては、走査出力３９から電流がゆっくり供給され、走査出力３９の電位は選択電位３８まで低下される。これによって、図６に示す出力バッファが接続される走査配線が選択状態になる。
【００５３】
また、走査出力３９の電位が選択電位３８になるタイミングに合わせて、図５に示す第１の制御信号としての立ち上がり制御信号２４を立ち下げる状態となると、立ち上がりＳＴＲＯＮＧ駆動用ＭＯＳトランジスタ３１を駆動する立ち上がりＳＴＲＯＮＧ駆動用ＭＯＳトランジスタの駆動信号３５がＨｉになり、立ち上がりＳＴＲＯＮＧ駆動用ＭＯＳトランジスタ３１がオンされる。ここで、立ち上がりＳＴＲＯＮＧ駆動用ＭＯＳトランジスタ３１は、数Ωのオン抵抗に設定されているため、立ち上がりＷＥＡＫ駆動用ＭＯＳトランジスタ３２よりも大きな駆動能力を有している。すなわち、オン抵抗が立ち上がりＷＥＡＫ駆動用ＭＯＳトランジスタ３２よりも小さく、より大きな電流を流すことができる。このとき、走査出力３９は、すでに選択電位３８の電位に収束している。そのため、走査出力３９において、アンダーシュートの発生を防止することができる。
【００５４】
また、立ち上がり制御信号のひとつのパルスの前端から後端までの期間が第１の期間に対応する。以降、波形の立ち下げ、この第１の実施形態においては、選択電位からの電位の上昇を開始するまでは、立ち上がりＷＥＡＫ駆動用ＭＯＳトランジスタ３２と立ち上がりＳＴＲＯＮＧ駆動用ＭＯＳトランジスタ３１との両方によって、それら２つのトランジスタが並列に接続されている状態で走査配線が駆動されている状態、すなわち、それら両方によって選択電位が与えられている状態となる。すなわち、選択信号の立ち上がり開始時と選択信号のオン状態維持時とで、駆動能力を異ならせている。具体的には、立ち上がり開始時よりもオン状態を維持している時の駆動能力が大きくなるようにしている。
【００５５】
この第１の実施形態においては、
（１）立ち上がり開始時にオンにするトランジスタの数よりもオン状態維持時にオンにするトランジスタを多くすること、
（２）立ち上がり開始時にオンにするトランジスタの駆動能力に比して、立ち上がり開始時にオンせずに、オン状態維持時のみオンするトランジスタとの駆動能力の方を大きくすること
の２つの条件をいずれも満たした構成にすることによって、好適なスルーレートを実現している。なお、この第１の実施形態としては、これに限るものではなく、上記２つの条件のうちのいずれか１つの条件のみを満たすことによってスルーレートを適切に設定することもできる。例えば、同じ駆動能力の２つのトランジスタを用い、選択信号の立ち上がり開始時には、１つのトランジスタのみをオンにし、所定状態まで選択信号が立ち上がった後、２つのトランジスタがオン状態になるようにして、選択信号のオン状態を維持する構成などを採用することができる。なお、これに関しては、選択信号を立ち下げるとき、この第１の実施形態においては、選択信号の電位を非選択状態になるまで上昇させるときにおいても同様である。
【００５６】
なお、立ち上がり制御信号２４の立ち下がりタイミング（立ち上がりＳＴＲＯＮＧ駆動用ＭＯＳトランジスタがオンするタイミング）は、ここでは、走査出力の電位が選択電位まで立ち上がる（選択電位まで低下する）タイミングと同じになるように設定したが、こ
れに限るものではない。立ち上がりＳＴＲＯＮＧ駆動用ＭＯＳトランジスタがオンするタイミングを、走査出力の電位が選択電位まで立ち上がる（選択電位まで低下する）タイミングよりも早くすれば、非選択電位から選択電位に至るまでの遷移期間の途中において、大きい駆動能力での駆動が開始されることになり、以降速やかに選択電位に達することになる。
【００５７】
以上説明したように、立ち上がり制御信号２４の１つのパルスは、２つのタイミングの規定に用いられる。具体的には、その一つのパルスの前端によって、選択信号の立ち上がりの開始（立ち上がり遷移期間の開始）のタイミングを規定し、その一つのパルスの後端によって、立ち上がり開始時よりも大きい駆動能力で選択駆動を開始するタイミングを規定している。
【００５８】
次に、図５に示す立ち下がり制御信号２５の立ち上がりにおいて、立ち下がりＷＥＡＫ駆動用ＭＯＳトランジスタ２９の駆動信号３３がＬｏになり、立ち下がりＷＥＡＫ駆動用ＭＯＳトランジスタ２９がオンされる。ここで、立ち下がりＷＥＡＫ駆動用ＭＯＳトランジスタ２９は、例えば１ｋΩ位の大きなオン抵抗を有するため、走査出力３９にゆっくり電流を供給して、走査出力３９を非選択電位３７まで上昇させる。
【００５９】
そして、走査出力３９が非選択電位３７の電位となるタイミングに合わせて、立ち下がり制御信号２５を立ち下げると、立ち下がりＳＴＲＯＮＧ駆動用ＭＯＳトランジスタ３０の駆動信号３４がＬｏになり、立ち下がりＳＴＲＯＮＧ駆動用ＭＯＳトランジスタ３０がオンされる。
【００６０】
立ち下がりＳＴＲＯＮＧ駆動用ＭＯＳトランジスタ３０は、数Ωのオン抵抗に設定されているため、大電流であっても駆動できる。すなわち、立ち下がりＳＴＲＯＮＧ駆動用ＭＯＳトランジスタ３０は、立ち下がりＷＥＡＫ駆動用ＭＯＳトランジスタ２９よりも大きい駆動能力（オン抵抗が小さい）を有する。このとき、走査出力３９は既に非選択電位３７の電位となって、均衡している。そのため、走査出力３９において、オーバーシュートの発生を防止することができる。
【００６１】
第２の制御信号としての立ち下がり制御信号２５のひとつのパルスの前端から後端までの期間が第２の期間に対応する。なお、この第１の実施形態における立ち下がり制御信号２５の立ち下がりタイミング（立ち下がりＳＴＲＯＮＧ駆動用ＭＯＳトランジスタ３０がオンするタイミング）は、走査出力の電位が非選択電位まで立ち下がる（非選択電位まで上昇する）タイミングと同じになるように設定したが、これに限るものではない。立ち下がりＳＴＲＯＮＧ駆動用ＭＯＳトランジスタ３０がオンするタイミングを、走査出力の電位が非選択電位まで立ち下がる（非選択電位まで上昇する）タイミングよりも早くすれば、選択電位から非選択電位に至るまでの遷移期間の途中で大きい駆動能力による駆動が開始されることになり、以降速やかに非選択電位に達することになる。
【００６２】
以上説明したように、立ち下がり制御信号２５の一つのパルスは、２つのタイミングの規定に用いられる。具体的には、その１つのパルスの前端によって、選択信号の立ち下がりの開始（立ち下がり遷移期間の開始）のタイミングを規定され、その１つのパルスの後端によって、立ち下がり開始時よりも大きい駆動能力による非選択駆動を開始するタイミングが規定されている。
【００６３】
次に、立ち上がり制御信号２４と、立ち下がり制御信号２５から図６の出力バッファを駆動する信号である信号３３、３４、３５、３６を生成する回路について、図７および図８を用いて具体的に説明する。
【００６４】
すなわち、入力５５には、立ち上がり制御信号２４がクロック１として入力される。入力５７には、立ち下がり制御信号２５がクロック２として入力される。入力５６には、基準クロックが入力される。ここで、基準クロックとしては、例えば１ＭＨｚ位の連続したクロック信号が使用される。
【００６５】
また、図７において、立ち上がり制御信号の立ち上がりの検出は、第１のＤＦＦ回路４０、第２のＤＦＦ回路４１および第１のＡＮＤ回路４２によって行われる。
【００６６】
すなわち、図８に示すように、図７に示す第１のＤＦＦ回路４０の出力と、第２のＤＦＦ回路４１の出力との論理積がとられ、立ち上がり制御信号２４であるクロック１の立ち上がりタイミングを示す立ち上がり信号７２が得られる。
【００６７】
同様にして、波形の図示は省略するが、第３のＤＦＦ回路４３、第４のＤＦＦ回路４４および第２のＡＮＤ回路４５により立ち上がり制御信号の立ち下がりが検出され、立ち上がり制御信号２４の立ち下がりのタイミングを示す信号を得る。立ち下がり制御信号２５であるクロック２信号においては、第５のＤＦＦ回路４６、第６のＤＦＦ回路４７、および第３のＡＮＤ回路４８により立ち上がり検出が行われ、立ち下がり制御信号２５の立ち上がりを示す信号を得る。
【００６８】
また、第７のＤＦＦ回路４９、第８のＤＦＦ回路５０および第４のＡＮＤ回路５１で立ち下がり検出が行われ、立ち下がり制御信号の立ち下がりを示す信号を得る。このようにして、クロック１およびクロック２における立ち上がりおよび立ち下がりをそれぞれ示す４つの信号を得ることができる。
【００６９】
これらの信号の中から、第１のＡＮＤ回路４２の出力と、第３のＡＮＤ回路４８の出力を用いた第１のＪＫＦＦ回路５２の出力と、ｎラインシフトデータとの論理積をとることにより、図５のｎライン立ち上がりＷＥＡＫ駆動信号３６を得ることができるとともに、この信号を反転させることによって、ｎライン立ち下がりＷＥＡＫ制御信号３３を得ることができる。
【００７０】
同様にして、第２のＡＮＤ回路４５の出力と、第３のＡＮＤ回路４８の出力を用いたＪＫＦＦ２（５３）の出力と、ｎラインシフトデータとの論理積をとることにより、図５のｎライン立ち上がりＳＴＲＯＮＧ駆動信号３５を、第１のＡＮＤ回路４２の出力と、第４のＡＮＤ回路５１の出力を用いた第３のＪＫＦＦ回路５４の出力と、ｎラインシフトデータとの論理積の反転信号を用いて、ｎライン立ち下がりＳＴＲＯＮＧ駆動信号３４が得られる。
【００７１】
また、同様にして、ｎ＋１ライン、ｎ+２ラインにおいても、上のｎラインシフトデー
タの代わりに、ｎ＋１ラインシフトデータ、ｎ＋２ラインシフトデータを用いることにより、それぞれ制御信号を得ることができる。
【００７２】
以上説明したこの第１の実施形態においては、基準クロックを用いた立ち上がりおよび立ち下がり検出による波形生成方法について説明したが、必ずしもこれに限定されるものではなく、微分回路などを用いた立ち上がりおよび立ち下がり検出方法を用いても同様の効果を得ることができる。
【００７３】
以上のようにして、遷移期間の波形のスルーレートを制御することにより、走査配線同士の相互誘導、静電容量によるノイズの飛び込みを抑制できる。これにより、ｎライン駆動波形（Ｃ）の立ち上がりの遷移期間と、ｎ＋１ライン駆動波形（Ｃ）の立ち下がりの遷移期間とを重複させることが可能となる。したがって、明るさの低下を抑制できる。
【００７４】
表面伝導放出素子３ａは、印加電位によってインピーダンスが変化するとともに、走査駆動部５のシンクおよびソースに対する要求駆動能力は互いに異なることから、シンクおよびソースのインピーダンスが異なる。これらのことから、最適な遷移期間は、立ち上がり時と立ち下がり時とで、必ずしも同一の時間にならない。
【００７５】
このような場合において、以上のような２つの伝送線路を用いて、２つの制御信号を伝送することにより、２つの制御信号のうちの一方の制御信号のパルスの前端と後端、および他方の制御信号のパルスの前端と後端とを用いて、４つのタイミングを規定することができる。
【００７６】
具体的には、図５に示すように、立ち下がり制御信号および立ち上がり制御信号のパルス幅、また、立ち下がり制御信号と立ち上がり制御信号との位置関係を制御することにより、遷移期間の波形を滑らかに遷移させることができ、立ち上がり波形と立ち下がり波形との同時処理を実行することができる。なお、この第１の実施形態においては、走査配線を１つずつ順次に選択していく構成について説明したが、走査配線を２つ同時に選択し、２つずつ順次に選択していく構成のように、複数の走査配線を同時に選択する構成に適用することもできる。また、精細表示の観点からは、走査配線（ライン）を１つずつ順次に選択していく構成が好ましい。
【００７７】
（第２の実施形態）
次に、本発明の第２の実施形態によるマトリクス駆動装置について説明する。図９に、この第２の実施形態によるマトリクス駆動装置の走査駆動部５の制御タイミングチャートを示す。
【００７８】
すなわち、パネル負荷の特性により、最適な立ち上がりの遷移時間と最適な立ち下がりの遷移時間が同じ場合、または、最適な立ち上がり遷移時間と、最適な立ち下がり遷移時間が異なる場合であっても、無視できる程度の場合、立ち上がり制御開始から終了まで（なお、この「立ち上がり制御の終了」とは、具体的に、立ち上がり開始時よりも大きい駆動能力での駆動の開始を意味する）と立ち下がり制御の開始から終了まで（なお、この「立ち下がり制御の終了」とは具体的には立ち下がり開始時よりも大きい駆動能力での駆動の開始を意味する）を完全に重複させることが可能となる。なお、「完全に重複」とは、所定ラインの立ち下がり制御期間と次のラインの立ち上がり遷移期間とが同時に始まり同時に終了することを意味する。
【００７９】
そして、図９に示すように、この第２の実施形態においては、立ち下がり制御信号２５のパルス幅と、立ち上がり制御信号２４のパルス幅とを同じパルス幅とし、さらに制御タイミングを一致させている。その他の構成および作用については、第１の実施形態と同一なので、同一構成部分については、その説明は省略する。
【００８０】
まず、立ち下がり制御信号と立ち下がり制御信号とを同じタイミングかつ同じパルス幅とした場合、図９に示すように、ｎライン駆動波形の選択から非選択への遷移と、ｎ＋１ラインの非選択から選択への遷移とが同時に行われる。
【００８１】
また、この場合においては、立ち下がり制御信号と立ち上がり制御信号とを一致させて、単一の信号により形成することができる。この場合には、スルーレート制御を行うための制御信号は、立ち上がり制御信号２４と立ち下がり制御信号２５との一方でよい。
【００８２】
また、第１の実施形態において説明したように、立ち上がり制御信号はシフトクロック信号と兼用することができる。具体的には、シフトクロック信号を制御信号として用い、
シフトクロックの一つのパルスの前端と後端とによって２つのタイミングを規定する。
【００８３】
そして、この２つのタイミングのうちの
一方のタイミングに合わせて、
ｎラインの選択信号の立ち下げ開始、すなわち、非選択電位への遷移の開始と、
ｎ＋１ラインの選択信号の立ち上げの開始、すなわち、選択電位への遷移の開始とを行い、
他方のタイミングに合わせて、
ｎラインの選択信号の立ち下げ遷移期間の終了、またはｎラインの選択信号の立ち下げ開始時よりも大きい駆動能力での非選択駆動の開始と、（ｎ＋１）ラインの選択信号の立ち上げ遷移期間の終了、または（ｎ＋１）ラインの選択信号の立ち上げ開始時よりも大きい駆動能力での選択駆動の開始とを行うようにする。
【００８４】
または、シフトクロックとは別に立ち上げ制御信号２４と立ち下げ制御信号２５とを兼ねた制御信号を制御部４から供給する構成を採用することも可能である。
【００８５】
（第３の実施形態）
次に、本発明の第３の実施形態について説明する。図１０に、この第３の実施形態によるマトリクス駆動装置の走査駆動部５の制御タイミングチャートを示す。この第３の実施形態においては、駆動波形の最適な立ち上がり遷移期間と最適な立ち下がり遷移期間とが異なる場合、ｎライン駆動波形の選択から非選択への遷移の終了するタイミングと、（ｎ＋１）ラインの非選択から選択への遷移の終了するタイミングとを同一のタイミングとする例について説明する。
【００８６】
図１０に示すように、この第３の実施形態においては、立ち下がり制御信号の立ち下がりのタイミングと、立ち上がり制御信号の立ち下がりのタイミングとが同一である。従って、時間の長い選択から非選択への遷移は、立ち下がり制御信号のパルス幅を広くすることによって、遷移の開始時間を早めに設定している。これにより、遷移の終了するタイミングが同一になり、遷移終了後、すぐに変調配線の駆動が可能となる。その結果、走査配線２の選択期間を多くすることができ、表示輝度の低下を抑制することが可能となる。
【００８７】
以上説明したように、この第３の実施形態においては、立ち下がり制御信号の立ち下がりのタイミングと、立ち上がり制御信号の立ち下がりとのタイミングとが同一となっている場合について説明したが、立ち下がり制御信号の立ち上がりと、立ち上がり制御信号の立ち上がりとのタイミングを同一にしてもよい。この場合、第３の実施形態におけると同様に、ｎラインの選択から非選択への遷移の開始時間と、（ｎ＋１）ラインの非選択から選択への遷移の開始時間を同一とすることによって、直前まで変調配線の駆動が可能となる。その結果、走査配線２の選択期間を多くすることができ、表示輝度の低下を抑制することが可能となる。
【００８８】
（テレビジョン装置）
次に、上述した第１〜第３の実施形態によるマトリクス駆動装置を用いたテレビジョン装置について説明する。図１１に、上述した第１〜第３の実施形態によるマトリクス駆動装置を用いたテレビジョン装置を示す。
【００８９】
図１１に示すように、テレビジョン装置は、放送信号用チューナ１２０ａを備えた受信回路１２０と、画像処理部１２１と、制御部１２２、上述したマトリクス駆動装置からなる駆動回路１２３および表示パネル１２４からなる表示装置１２５とを有して構成されている。
【００９０】
受信回路１２０は、放送信号用チューナ１２０ａとデコーダなどとを有して構成される。この受信回路１２０は、衛星放送や地上波などのテレビ信号、ネットワークを介したデータ放送などを受信して、復号化した映像データを画像処理部１２１に出力する。
【００９１】
また、画像処理部１２１は、γ補正回路や解像度変換回路、インターフェース（Ｉ／Ｆ）回路などを有して構成されている。この画像処理部１２１は、画像処理された映像データを表示装置の表示フォーマットに変換して表示装置１２５に画像データを出力する。
【００９２】
表示装置１２５は、表示パネル１２４、走査駆動部５および変調駆動部６を有する上述した第１〜第３の実施形態による駆動回路１２３、および制御部１２２を有して構成される。制御部１２２は、入力した画像データに表示パネルに適した補正処理などの信号処理を施すとともに、駆動回路１２３に画像データおよび各種制御信号を出力する。駆動回路１２３は、入力された画像データに基づいて、駆動信号を表示パネル１２４に供給するように構成されている。これにより表示パネル１２４にテレビ映像が表示される。
【００９３】
また、受信回路１２０および画像処理部１２１は、セットトップボックス（ＳＴＢ）１２６として表示装置１２５とは別の筐体に収められていてもよく、また、表示装置１２５と一体の筐体に収められていてもよく、さらには、これらの形態以外の種々の組み合わせの形態を採用可能である。
【００９４】
以上、本発明の実施形態について具体的に説明したが、この発明は、上述の一実施形態に限定されるものではなく、本発明の技術的思想に基づく各種の変形が可能である。
【００９５】
この発明によるマトリクス駆動装置およびその駆動方法としては、液晶表示装置、プラズマ表示装置、電子線表示装置などを包含している。特に、プラズマ表示装置や電子線表示装置に関しては、電圧印加時間に比例して出力輝度が増加する特性を有する点から、本発明の適用が好ましい形態である。
【図面の簡単な説明】
【００９６】
【図１】本発明の第１の実施形態による画像表示装置を示す略線図である。
【図２】本発明の第１の実施形態による走査駆動部を示す回路図である。
【図３】本発明の第１の実施形態による走査駆動部の駆動波形を示す図である。
【図４】出力イネーブル信号を用いた走査駆動部の駆動波形を示す図である。
【図５】本発明の第１の実施形態による立ち上がり時間と立ち下がり時間とが同一ではない場合の走査駆動部の駆動波形を示す図である。
【図６】本発明の第１の実施形態による出力バッファ回路を示す回路図である。
【図７】出力バッファを駆動する信号を生成する回路を示す図である。
【図８】出力バッファを駆動する信号の波形を示す図である。
【図９】本発明の第２の実施形態による立ち上がり時間と立ち下がり時間とが同一の場合の走査駆動部の駆動波形を示す図である。
【図１０】第３の実施形態における駆動波形を示す図である。
【図１１】本発明の実施形態によるマトリクス駆動装置を用いたセットトップボックスおよびテレビジョン装置を示すブロック図である。
【符号の説明】
【００９７】
１  マトリクスパネル
１ａ  リアパネル
２  走査配線
３  変調配線
３ａ  表面伝導放出素子
３ｂ  フェースプレート
３ｃ  蛍光体
４  制御部
５  走査駆動部
６  変調駆動部
７  シフトデータ入力
８  出力バッファ
９  シフトレジスタ
１０  シフトクロック信号
２９  立ち上がりＷＥＡＫ駆動用ＭＯＳトランジスタ
３０  立ち上がりＳＴＲＯＮＧ駆動用ＭＯＳトランジスタ
３１  立ち下がりＳＴＲＯＮＧ駆動用ＭＯＳトランジスタ
３２  立ち下がりＷＥＡＫ駆動用ＭＯＳトランジスタ
３３  立ち上がりＷＥＡＫ駆動用ＭＯＳトランジスタの駆動信号
３４  立ち上がりＳＴＲＯＮＧ駆動用ＭＯＳトランジスタの駆動信号
３５  立ち下がりＳＴＲＯＮＧ駆動用ＭＯＳトランジスタの駆動信号
３６  立ち下がりＷＥＡＫ駆動用ＭＯＳトランジスタの駆動信号
３７  非選択電圧
３８  選択電圧
３９  走査出力
１２０  受信回路
１２０ａ  放送信号用チューナ
１２１  画像処理部
１２２  制御部
１２３  駆動回路
１２４  表示パネル
１２５  表示装置
【図１】
2006330701.tif 000003
【図２】
2006330701.tif 000004
【図３】
2006330701.tif 000005
【図４】
2006330701.tif 000006
【図５】
2006330701.tif 000007
【図６】
2006330701.tif 000008
【図７】
2006330701.tif 000009
【図８】
2006330701.tif 000010
【図９】
2006330701.tif 000011
【図１０】
2006330701.tif 000012
【図１１】
2006330701.tif 000013